(57)【要約】【課題】シール性に優れた流量メータの計測ユニットの密閉収納構造を提案すること。【解決手段】水道メータ１のケース本体２に装着した収納ケース２０には計測ユニット１０が挿入され、その上端開口部２１を封鎖する状態に取り付けた蓋板３０が、リング状の蓋押え４０によって収納ケース２０に固定されている。蓋押え４０のリング状本体板４１の裏面側端面４２にはリング状突起４５が形成され、その内外周面には等間隔でリブ４６ａ、４６ｂが形成されている。リング状突起４５を、収納ケース２０の上端面のリング状嵌め込み溝に嵌め込むことにより、確実に蓋押えが収納ケース２０に固定され、蓋押えによって大きな力で押し付けられたＯリング５０および弾性板６０によって収納ケース２０の内部のシール性が確保される。【選択図】図２
2007212313.tif 000002
【特許請求の範囲】
【請求項１】
流量メータケースに装着される流量計測ユニット収納用の収納ケースと、
前記収納ケースの上端開口部を封鎖する蓋板と、
前記蓋板を前記収納ケースに押し付けて、当該収納ケース内を密閉状態に保持するための枠状の蓋押えと、
前記収納ケースおよび前記蓋板の間に挟み込まれる枠状の第１シール部材と、
前記蓋板および前記蓋押えの間に挟み込まれる枠状の第２シール部材とを有し、
前記蓋押えの裏面側端面には、前記蓋板を押えている枠状の内周側端面部分と、この外周側に形成された前記第２シール部材装着用の枠状凹部と、この外周側に形成された前記裏面側端面から垂直に突出している枠状突起と、この外周側に形成された外周側端面部分とが形成されており、
前記枠状突起の内周面および／または外周面には、所定の角度間隔で内側あるいは外側に突出した複数のリブが形成されており、
前記蓋板を取り囲んでいる前記収納ケースの上端面には、枠状の内周側端面部分と、前記枠状突起が嵌め込まれる枠状の嵌め込み溝と、前記蓋押えの前記外周側端面部分に当接している外周側端面部分とが形成されており、
前記凹部に装着される前記第２シール部材は、前記蓋板の外周縁部分と前記収納ケースの前記内周側端面部分に密着状態で押し付けられることを特徴とする流量メータの計測ユニットの密閉収納構造。
【請求項２】
請求項１において、
前記蓋押えはリング状の蓋押えであり、
前記第１シール部材はＯリングであり、
前記第２シール部材はリング状の弾性板であることを特徴とする流量メータの計測ユニットの密閉収納構造。
【請求項３】
請求項１または２に記載の前記蓋押えであって、
枠状本体の裏面側の端面に、枠状の内周側端面部分と、この内周側端面の外周側に形成されたシール部材装着用の枠状凹部と、この枠状凹部の外周側に形成された前記端面から垂直に突出している枠状突起と、この枠状突起の外周側に形成された外周側端面部分とが形成されており、
前記枠状突起の内周面および／または外周面には、所定の角度間隔で内側あるいは外側に突出した複数のリブが形成されていることを特徴とする流量メータの計測ユニットの蓋押え。
【発明の詳細な説明】
【技術分野】
【０００１】
本発明は、水道メータなどの流量メータに装着された収納ケースに計測ユニットを密閉状態で収納するための密閉収納構造に関するものである。また、当該密閉収納構造に用いる蓋押えに関するものである。
【背景技術】
【０００２】
流量メータ、例えば水道メータは、そのメータケース内に水道水が通過する測定室を備え、この測定室には流量に応じて回転する羽根車が配置され、羽根車の回転がメータケースに収納されている計測ユニットによって検出され、検出結果に基づき流量が計測されるように構成されている。計測ユニットは、メータケースに装着した収納ケースに密閉状態で収納され、内部に水などが浸入しないようになっている。かかる構成の水道メータが下記の特許文献１に開示されている。
【０００３】
当該特許文献に開示の水道メータでは、メータケースに装着したレジスタボックス(収納ケース）内に積算歯車機構などを含む計測機構が内蔵され、その上面に被せたガラス板（蓋板）が、一体ガスケット（蓋押え）によってシールされている。一体ガスケットは、プラスチック製の平滑なリング状平板部の下面に弾性体が一体に取り付けられ、平板部の周囲の複数の箇所には、レジスタボックスに取り付けるための張り出し部が形成された構成となっている。張り出し部が係合用の爪として機能して、一体ガスケットがレジスタボックスに固定され、当該一体ガスケットとレジスタボックスの間にガラス板が挟持された状態になる。
【特許文献１】特開２００３−１１３９４３号公報
【発明の開示】
【発明が解決しようとする課題】
【０００４】
このような従来の蓋押えは、複数の張り出し部によって収納ケースの側に固定されているだけなので、蓋板の押し付け力が弱く、シール性に劣るという課題がある。このため、収納ケースに計測ユニットを入れてメータケースに取り付けるまでの間は、収納ケース内部にシルカゲルなどの吸湿材を入れて当該収納ケースの開口部にガラス板を取り付けて封鎖し、内部を乾燥状態に保持する必要がある。
【０００５】
本発明の課題は、このような点に鑑みて、シール性に優れた流量メータの計測ユニットの密閉収納構造、および、当該密閉収納構造に用いる蓋押えを提案することにある。
【課題を解決するための手段】
【０００６】
上記の課題を解決するために、本発明の流量メータの計測ユニットの密閉収納構造は、
流量メータケースに装着される流量計測ユニット収納用の収納ケースと、
前記収納ケースの上端開口部を封鎖する蓋板と、
前記蓋板を前記収納ケースに押し付けて、当該収納ケース内を密閉状態に保持するための枠状の蓋押えと、
前記収納ケースおよび前記蓋板の間に挟み込まれる枠状の第１シール部材と、
前記蓋板および前記蓋押えの間に挟み込まれる枠状の第２シール部材とを有し、
前記蓋押えの裏面側端面には、前記蓋板を押えている枠状の内周側端面部分と、この外周側に形成された前記第２シール部材装着用の枠状凹部と、この外周側に形成された前記裏面側端面から垂直に突出している枠状突起と、この外周側に形成された外周側端面部分とが形成されており、
前記枠状突起の内周面および／または外周面には、所定の角度間隔で内側あるいは外側に突出した複数のリブが形成されており、
前記蓋板を取り囲んでいる前記収納ケースの上端面には、枠状の内周側端面部分と、前記枠状突起が嵌め込まれる枠状の嵌め込み溝と、前記蓋押えの前記外周側端面部分に当接している外周側端面部分とが形成されており、
前記凹部に装着される前記第２シール部材は、前記蓋板の外周縁部分と前記収納ケースの前記内周側端面部分に密着状態で押し付けられることを特徴としている。
【０００７】
一般的には、前記蓋押えはリング状の蓋押えであり、前記第１シール部材としてＯリングが用いられ、前記第２シール部材としてリング状の弾性板が用いられる。
【０００８】
次に、本発明は上記構成の密閉構造に用いる蓋押えであって、
枠状本体の裏面側の端面に、枠状の内周側端面部分と、この内周側端面の外周側に形成されたシール部材装着用の枠状凹部と、この枠状凹部の外周側に形成された前記端面から垂直に突出している枠状突起と、この枠状突起の外周側に形成された外周側端面部分とが形成されており、
前記枠状突起の内周面および／または外周面には、所定の角度間隔で内側あるいは外側に突出した複数のリブが形成されていることを特徴としている。
【発明の効果】
【０００９】
本発明では、枠状の蓋押えの端面に形成された枠状突起が収納ケース側に形成した枠状凹部に嵌め込まれ、これによって蓋板が固定される。枠状突起の内周面あるいは外周面、またはその双方の面には、所定の角度間隔でリブが形成されている。これらのリブの高さが嵌め込み代となるので、強固に蓋押えを収納ケースに固定できる。
【００１０】
この結果、蓋押えと、蓋板および収納ケースの上端面との間に配置されている第２シール部材が強い力でこれらの間に挟持され、これらの間が確実にシールされる。また、蓋板と収納ケースの間に配置した第１シール部材もこれらの間に強い力で挟持され、これらの間が確実にシールされる。よって、収納ケース内部が確実にシールされる。
【００１１】
このため、本発明の密閉構造を採用すれば、収納ケースを確実に密閉して内部を乾燥状態に保持できる。よって、メータケースに組み付けるまで、内部に吸湿材などを入れた状態で保管しておく必要がない。
【発明を実施するための最良の形態】
【００１２】
以下に、図面を参照して、本発明を適用した水道メータケースを備えた水道メータの実施の形態を説明する。
【００１３】
（全体構成）
図１は本実施の形態に係る水道メータの概略構成図である。水道メータ１は、ケース本体２とケース蓋３とを備えている。ケース本体２は、円形の底板部分４および円形の上端開口部５を備えた円筒部分６を有し、この円筒部分６の底板部分４側の外周面からは、水導入管部分７および水排出管部分８がそれぞれ外方に突出している。
【００１４】
円筒部分６の上端開口部５には、上側から、カップ形の収納ケース２０が装着されている。収納ケース２０には、その上端開口部２１から機械式の計測ユニット１０が挿入されており、この状態で上端開口部２１がガラス製の蓋板３０によって封鎖されている。蓋板３０はリング状の蓋押え４０によって収納ケース２０に密閉状態で固定されている。
【００１５】
ケース本体２の上端開口部５の外周面部分には雄ねじ部９が形成されており、ケース蓋３は、収納ケース２０の外周側の上端面２２および、そこに固定した蓋押え４０を覆う状態で、雄ねじ部９にねじ込み固定されている。なお、大型メータの場合には、ケース蓋が、ボルトなどの固定金具を用いてケース本体に固定される場合がある。
【００１６】
水導入管部分７および水排出管部分８の先端部分の外周面にはそれぞれ雄ねじ部７ａ、８ａが形成されており、不図示の上流側水道管および下流側水道管の間に連結可能となっている。円筒部分６の内部において、その底板部分４と収納ケース２０の底面部分２０ａの間には、円形断面の流量測定室１１が区画形成されている。この流量測定室１１には、流水方向に垂直なピボット１２が配置され、ここには、羽根車１３の軸１４の下端側部分が回転自在の状態で支持されている。
【００１７】
羽根車１３の軸１４の上端部分には磁石１５が取り付けられており、計測ユニット１０の内部には、磁石１５に対峙した状態でマグネット付き歯車１６が配置されている。羽根車１３が、流量測定室１１を流れる水の流量に応じて回転すると、その軸１４の回転がマグネット付き歯車１６によって検出され、回転数に対応した流量値が計測される。
【００１８】
なお、収納ケース２０の底面部分２０ａには調整器１７ａ、１７ｂが取り付けられている。調整器１７ａ、１７ｂを調整して、測定室１１を流れる水流を調節することにより、流量に対応した状態で羽根車１３を回転させることができる。換言すると、精度良く流量を検出することができる。
【００１９】
（計測ユニットの密閉収納構造）
図２は、計測ユニット１０が収納されている収納ケース２０、蓋板３０および蓋押え４０を示す部分断面図である。図３（ａ）〜（ｃ）はそれぞれ、蓋押え４０を示す平面図、断面図および底面図である。
【００２０】
本例では、収納ケース２０と蓋板３０の間にはＯリング５０が挟み込まれている。また、蓋板３０と蓋押え４０の間にはリング状の弾性板６０が挟み込まれている。これらＯリング５０および弾性板６０によって、収納ケース２０の内部のシール性が確保されている。弾性板６０は例えばゴム製のものを用いることができる。
【００２１】
収納ケース２０の上端開口部２１はリング状段面２３によって取り囲まれており、このリング状段面２３は一段高い位置に形成されているリング状上端面２２を備えたリング状フランジ２４によって取り囲まれている。リング状段面２３にはＯリング装着用のリング状の凹部２５が形成されており、ここにＯリング５０が装着されている。円形の蓋板３０は、Ｏリング５０の上から、リング状フランジ２４の内側に嵌め込まれている。Ｏリング５０を押し付けることにより、蓋板３０の上面３１を収納ケース２０のリング状上端面２２と同一高さとすることが可能となっている。
【００２２】
収納ケース２０のリング状上端面２２には、その内周側にリング状の内周側端面部分２６が形成されており、これを取り囲む状態にリング状の嵌め込み溝２７が形成されており、さらに、これを取り囲む状態にリング状の外周側端面部分２８が形成されている。
【００２３】
この形状のリング状上端面２２に取り付けられる蓋押え４０はリング状のプラスチック成形板からなるリング状本体板４１を備えている。このリング状本体板４１の裏面側の端面４２には、その内周縁側がリング状の内周側端面部分４３となっており、これを取り囲む状態に弾性板装着用のリング状凹部４４が形成されている。このリング状凹部４４を取り囲む状態にリング状突起４５が形成され、このリング状突起４５を取り囲む状態にリング状の外周側端面部分４６が形成されている。
【００２４】
内周側端面部分４３は、収納ケース２０に取り付けた蓋板３０の上面３１を押し付けるための押え面である。この外側のリング状凹部４４に装着されたリング状弾性板６０は、蓋板３０の外周縁部分および収納ケース２０の内周側端面部分２６に押し付けられた状態となっている。
【００２５】
ここで、蓋押え４０のリング状突起４５は、リング状本体板４１の裏面側端面４２から垂直に突出しており、円周方向に連続して形成された一定厚さのものである。また、このリング状突起４５の内周面４５ａおよび外周面４５ｂには、等角度間隔で一定幅のリブ４６ａ、４６ｂが形成されている。これらのリブ４６ａ、４６ｂは、内周面４５ａおよび外周面４５ｂに沿って端面４２から垂直な方向に延びている。リンク状突起４５の高さおよび厚さは、収納ケース２０の側の嵌め込み溝２７の深さおよび幅とほぼ同一とされており、これらのリブ４６ａ、４６ｂの内側および外側への突出量が嵌め込み代となっている。
【００２６】
この構成の計測ユニットの密閉収納構造は次の手順で組み立てられる。まず、収納ケース２０に計測ユニット１０を入れてＯリング５０を装着した後に、蓋板３０を取り付けて上端開口部２１を封鎖する。しかる後に、蓋押え４０の裏面側のリング状凹部４４に弾性板６０を装着し、この状態を保持して、蓋押え４０のリング状突起４５を収納ケース２０のリング状嵌め込み溝２７に嵌め込む。蓋押え４０のリング状突起４５を完全にリング状嵌め込み溝２７に押し込むと、蓋押え４０が強固に収納ケース２０に固定される。また、蓋押え４０によって押し付けられた蓋板３０によってＯリング５０が押し潰されて、蓋板３０と収納ケース２０の間が確実にシールされた状態になる。また、蓋押え４０と、収納ケース２０および蓋板３０との間の弾性板６０が押し潰されて、これらの間が確実にシールされた状態になる。
【００２７】
このように、本例では、蓋押え４０のリング状突起４５がその円周方向の全周に亘って収納ケース２０の側のリング状嵌め込み溝２７に嵌り込む。また、リング状突起４５の内外周面にはリブ４６ａ、４６ｂが形成されており、これらによって、リング状突起４５が強固に収納ケース２０に固定される。この結果、確実なシール状態を形成できる。
【００２８】
（その他の実施の形態）
なお、上記の例は水道メータに本発明を適用したものであるが、例えば、ガスメータのメータケースに対して本発明を同様に適用することができる。さらには、水道およびガスメータ以外の流量メータに対しても本発明を同様に適用可能である。
【００２９】
また、上記の例では、収納ケースの上端開口部が円形であり、それに合わせて、蓋板、蓋押えもリング状のものとしてある。上端開口部が円形ではない場合には、その形状に合わせた枠状の蓋板および蓋押えを用いればよい。
【図面の簡単な説明】
【００３０】
【図１】本発明を適用した水道メータを示す概略構成図である。
【図２】図１の水道メータケースに装着した収納ケース、計測ユニット、蓋板および蓋押えを示す部分断面図である。
【図３】図２の蓋押えの平面図、断面図および底面図である。
【符号の説明】
【００３１】
１    水道メータ
２    ケース本体
３    ケース蓋
４    底板部分
５    上端開口部
６    円筒部分
７    水導入管部分
８    水排出管部分
１０  計測ユニット
１１  測定室
１３  羽根車
２０  収納ケース
２１  上端開口部
２２  上端面
２３  段面
２４  フランジ
２５  凹部
２６  内周側端面
２７  嵌め込み溝
２８  外周側端面
３０  蓋板
４０  蓋押え
４１  本体板
４２  裏面側端面
４３  内周側端面
４４  凹部
４５  リング状突起
４５ａ  内周面
４５ｂ  外周面
４６  外周側端面
４６ａ、４６ｂ  リブ
５０  Ｏリング
６０  弾性板
【図１】
2007212313.tif 000003
【図２】
2007212313.tif 000004
【図３】
2007212313.tif 000005